(57)【要約】【課題】衣類の寸法直しには専門的技術が求められる場合がある。【解決手段】衣類の寸法直しを容易に行うための補助器具を提供する。本発明は、衣類の第１の領域に接着剤が付着させられた衣類の長さを、該接着剤を熱及び圧力を用いて活性化させることと、衣類の第１の領域を衣類の第２の領域に接着することとにより調整するための衣類及び方法を提供する。【選択図】図１
2008223201.tif 000002
【特許請求の範囲】
【請求項１】
第１の領域と、第２の領域と、第１の活性化により前記第１の領域に付着させられる接着剤とを備える衣類であって、
前記衣類の長さが、前記第２の領域に接触するように前記第１の領域を折ることと、前記接着剤を用いて該接着剤の第２の活性化により前記第１の領域を前記第２の領域に接着することとによって調整される衣類。
【請求項２】
前記接着剤は熱を付与することにより活性化される請求項１に記載の衣類。
【請求項３】
前記接着剤は、前記第１の領域の周囲を延びる長尺片の形態にて前記第１の領域に付着させられる、請求項１に記載の衣類。
【請求項４】
前記長尺片が保護材によって被覆され、該保護材は、前記第１の領域が前記第２の領域へ接着される前に取り外し可能である、請求項３に記載の衣類。
【請求項５】
前記接着剤の使用に関する指示が前記保護材に印刷される請求項４に記載の衣類。
【請求項６】
前記接着剤は複数の接着剤を含み、該複数の接着剤は、前記第１の領域の前記周囲を辿って延びる長尺片中の第１の接着剤と、前記第１の領域の第２の周囲を辿って延びる第２の接着剤とを含む、請求項３に記載の衣類。
【請求項７】
前記接着剤は前記第１の領域に縫い込まれた接着糸を含む、請求項１に記載の衣類。
【請求項８】
前記衣類の長さは、前記接着剤に熱を付与して前記第２の領域から前記第１の領域を引き離すことと、熱を再度付与して前記接着剤により前記第１の領域を別の領域に再接着することとによって再調整することができる、請求項１に記載の衣類。
【請求項９】
前記衣類の長さを測定するための長さ指標を備える請求項１に記載の衣類。
【請求項１０】
前記第１の領域が、ズボン脚部、袖、及びヘムのうちいずれかの端部を含む、請求項１に記載の衣類。
【請求項１１】
衣類の長さを、前記衣類の第２の領域に向かい合うように前記衣類の第１の領域を折ることによって調整することと、
事前の活性化により前記衣類の前記第１の領域に予め付着させられた接着剤を活性化させることと、
前記衣類の第１の領域を前記衣類の第２の領域に前記接着剤により接着することと
を含む方法。
【請求項１２】
前記活性化には前記接着剤に熱及び圧力を付与することを含む、請求項１１に記載の方法。
【請求項１３】
前記接着剤から保護材を取り外すことを含む、請求項１１に記載の方法。
【請求項１４】
前記活性化には複数の接着剤を活性化させることを含み、該複数の接着剤は、前記衣類の第１の領域の周囲を辿って延びる長尺片中の第１の接着剤と、前記第１の領域の第２の周囲を辿って延びる第２の接着剤とを含む、請求項１１に記載の方法。
【請求項１５】
前記衣類の前記第１の領域に予め縫い付けられた第２の接着剤を活性化させることを含む、請求項１１に記載の方法。
【請求項１６】
前記接着剤に熱を付与して前記第２の領域から前記第１の領域を引き離すことと、再度熱を付与して前記接着剤により前記第１の領域を別の領域に再接着することとによって前記長さを再調整することを含む、請求項１１に記載の方法。
【請求項１７】
前記衣類の内側に見える指標上で前記衣類の長さを測定することを含む、請求項１１に記載の方法。
【請求項１８】
第１の領域と、第２の領域と、前記第１の領域に付着させられた複数の接着剤とを備える衣類であって、
前記衣類の長さは、前記第２の領域に接触するように前記第１の領域を折ることと、前記複数の接着剤のうちの１つを活性化させて該接着剤により前記第１の領域を前記第２の領域に接着することとによって調整される衣類。
【請求項１９】
前記衣類の内側に長さ指標を備える請求項１８に記載の衣類。
【請求項２０】
前記複数の接着剤のうちの１つが前記第１の領域に縫い付けられる請求項１８に記載の衣類。
【発明の詳細な説明】
【技術分野】
【０００１】
本発明は衣類の寸法直しに関し、より詳細には、ヘム、袖、袖口、及び衣類を着用者に合わせるために調整可能な他の衣類領域の寸法直しにおける補助器具に関する。
【背景技術】
【０００２】
着用者に合わせるための衣類の寸法直し又はその他の特注生産には通常、例えばヘム、袖、ズボン脚部、及び肩の伸ばし又は詰めを行うことを含むことができる。衣類の他の領域の寸法直しを行うことも可能である。通常、衣類の寸法直しは、仕立て屋や他の縫製熟練者によって行われる。寸法直しにおいては、衣類を所望される長さにするために仕立て屋が寸法直しを行う領域に印を付けて着用者に合わせることを求められる場合が多い。仕立て屋は次に、所望される長さに一致させるために袖、袖口、又は衣類の他の領域の前側及び後側を調整することができる。このような調整には専門的技術が必要とされることがある。例えば、あるスタイルの袖は、袖がその前部及び後部で同一の長さであることを必要とする。他の細やかな寸法直しを実施する場合にも専門的技術が必要とされることがある。
【特許文献１】米国特許第４，３７２，９９８号明細書
【特許文献２】米国特許第５，００６，３９３号明細書
【特許文献３】欧州特許出願公開第０８５５１５０号明細書
【特許文献４】特開平８−２０９４１９号公報
【特許文献５】仏国特許出願公開第２８５２４９５号明細書
【特許文献６】国際公開第２００４／０９５９６１号パンフレット
【特許文献７】ベルギー国特許出願公開第１０１４４３２号明細書
【発明の開示】
【発明が解決しようとする課題】
【０００３】
本発明は、衣類の寸法直しを容易に行うための補助器具を提供することを目的とする。
【課題を解決するための手段】
【０００４】
本発明の実施形態は、ヘム、袖口、又は脚部の第１の領域と、このようなヘム、袖口、又は脚部の第２の領域と、第１の活性化により第１の領域に付着させられる接着剤とを有する衣類を含み、該衣類の長さは、第２の領域と接触するように第１の領域を折ることと、接着剤の第２の活性化により接着剤で第１の領域を第２の領域に接着することとによって調整される。幾つかの実施形態では、接着剤は熱、圧力及び／又は水分を付与することにより活性化される。幾つかの実施形態では、接着剤は、第１の領域の周囲を延びる長尺片として第１の領域に付着させられる。幾つかの実施形態では、第１の長尺片は、第１の領域を第２の領域に接着する前に取り除くことができる保護材によって被覆される。幾つかの実施形態では、例えば「この下で折って、アイロンをかける」等、接着剤の使用に関する指示が保護材に印刷される。幾つかの実施形態では、接着剤は２種類以上の接着剤を含み、第１の接着剤は第１の領域の周囲を辿って延びる長尺片であり、第２の接着剤は第１の領域の第２の周囲を辿って延びる。幾つかの実施形態では、接着剤は接着糸を含む。幾つかの実施形態では、衣類の長さは、例えば接着剤に熱を付与して第１の領域を第２の領域から引き離し、熱をもう一度付与して接着剤により第１の領域を別の領域に再接着することにより再調整することができる。幾つかの実施形態では、調整された衣類の長さを測定するための長さ指標が衣類に付けられていてもよい。
【０００５】
幾つかの実施形態では、本発明の方法は、衣類の第２の領域に向かい合うように衣類の第１の領域を折ること、接着剤の事前の活性化によって衣類の第１の領域に予め付着させられた接着剤を活性化させること、及び接着剤により第１の領域を第２の領域に接着することによって衣類の長さを調整することを含む。幾つかの実施形態では、活性化には、熱、水分、及び／又は圧力を接着剤に付与することを含む。幾つかの実施形態では、保護材を接着剤から取り除くことができる。幾つかの実施形態では、前記活性化は、２種類以上の接着剤、すなわち衣類の第１の領域の周囲を辿って延びる長尺片中の第１の接着剤と、第１の領域の第２の周囲を辿って延びる第２の接着剤とを活性化させることを含むことができる。幾つかの実施形態では、第２の接着剤は予め第１の領域に縫い付けておくことができる。幾つかの実施形態では、接着剤に熱を付与して第１の領域を第２の領域から引き離すことと、熱を再度付与して接着剤により第１の領域を別の領域に再接着することとにより衣類を再調整することができる。幾つかの実施形態は、衣類上の指標にて衣類の長さを測定することを含むことができる。
【０００６】
幾つかの実施形態は、第１の領域と、第２の領域と、第１の領域に付着させられる２種類以上の接着剤とを有する衣類を含むことができ、該衣類の長さは、第２の領域に接触するように第１の領域を折ることと、接着剤の活性化により接着剤で第１の領域を第２の領域に接着することとによって調整される。幾つかの実施形態は、衣類の内側に長さ指標を含むことができる。
【発明の効果】
【０００７】
本発明の実施形態により、非熟練者であっても衣類の寸法直しを容易に行うことができる。本発明の実施形態は、着用者が衣類を試着することなく、着用者の採寸寸法に合わせた衣類の寸法直しを容易に行うことができる。本発明の実施形態は、仕立て屋が行う衣類の寸法直しを支援することができる。
【発明を実施するための最良の形態】
【０００８】
本発明の実施形態は、例を用いて図示されるが、添付された図面に限定されるものではない。なお、各図面中において、類似する符号は、対応する要素、同類要素、もしくは類似要素を示している。
【０００９】
例を単純明快に示すために、図に示される要素は必ずしも寸法比率が等しくはない。例えば、要素の幾つかは、明確に示すために、他の要素に比較して大きく描かれている場合がある。
【００１０】
以下の詳細な説明においては、本発明の実施形態を完全に理解できるように、多数の特定の詳細について説明される。しかしながら、本発明の実施形態がこれらの特定の詳細なしに実施可能であることは、当業者であれば理解されるであろう。他の例では、本発明の実施形態を分かりにくくすることのないように、周知の方法、手順、及び構成要素については詳細に説明していない。
【００１１】
図１には、本発明の幾つかの実施形態による、接着剤を有するとともに寸法直しの採寸寸法が記された衣類のヘム／袖口の概念図が示されている。幾つかの実施形態においては、袖、ズボン脚部１００、ヘム、又は衣類の他の領域の内側に、例えば糊等の接着剤１０４を備えることができ、該接着剤１０４は、例えばズボン脚部１００又は袖口の内周面に沿って、例えば長尺状又は他の形状をなすように付着させることができる。幾つかの実施形態では、長尺状、点状、又は他の形状をなす接着剤１０４は、例えばズボン脚部１００のはぎ布が縫い合わされてズボン脚部１００を形成する前に付着させることができるが、糊は衣類作成の別の段階で付着させてもよい。幾つかの実施形態では、接着剤１０４は、接着剤１０４がとるべき形状に切り抜かれた領域を有するステンシル型を使用して塗布することができる。ステンシル型で衣類のはぎ布を覆い、加熱された、或いはその他の方法で活性化された接着剤１０４を、切り抜かれた領域上において例えば刷毛で塗ることができる。好ましい実施形態においては、接着剤１０４はズボン脚部１００の下部１０６又は衣類の他の領域、又は衣類の当該領域の長さ方向における端部近傍に付着させられる。例えば、幾つかの実施形態では、接着剤１０４は、例えば該接着剤１０４が活性化されたときに衣類の端部からはみ出て例えばアイロン又は他の表面上に広がらないように、ズボン脚部１００の端部から１ｃｍよりもわずかに小さい距離の位置に付着させることができる。
【００１２】
幾つかの実施形態では、ズボン脚部１００等の衣類の内側に、ズボン脚部１００の長さの指標を記しておくことができる。例えば、ズボン脚部１００の内側に設けられた印は、ズボン脚部１００の内側の縫い目に対応する位置の長さを記しておくことができる。幾つかの実施形態では、長さを表示する印１１０は、このような印１１０が衣類の片面のみで見え、且つ衣類の他方の面まで透けて見えないようにする金型、加熱タイプのアップリケ、又は衣類に印を付けるその他の手段を使用して付けることができる。幾つかの実施形態では、長さを表示する印１１０は、ズボン脚部１００の下部１０６がズボン脚部１００の上部１０８の下に折り込まれて該上部１０８と接触させられたときに、ズボン脚部１００の上部１０８の複数の箇所において衣類の長さを示すことができる。幾つかの実施形態においては、長さを示す印は、例えば衣類に付着させることができる取り外し可能なテープを用いて、衣類の外側に示されていてもよい。
【００１３】
作業中、使用者は、接着剤１０４を有する下部１０６がズボン脚部１００の上部１０８に面してこれに接触するように、ズボン脚部１００の下部１０６又は衣類の他の端部領域を下側且つ内側に折り込むことができる。使用者は、所望される長さを設定するために、印１１０を用いて、又は着用者の脚部上においてズボン脚部の長さを測定することができる。接着剤を活性化させて下部１０６を上部１０８に接着する間、ズボン脚部１００の所望される長さにて折った部分をピン留め、保持、或いはその他の方法にて一時的に固定することができる。
【００１４】
幾つかの実施形態では、接着剤１０４は、熱、水分、及び圧力（例えばスチームアイロン等のアイロンによってかけられる力等）のすべて又はそれらの任意の一つもしくは幾つかにより活性化させることができる。接着剤１０４を活性化させる他の方法も用いることができる。
【００１５】
幾つかの実施形態では、接着剤１０４は、幅が約１ｃｍの長尺片として形成することができ、ズボン脚部１００の周囲を辿るように延びていてもよい。幾つかの実施形態では、接着剤１０４は、衣類のはぎ布を繋ぐ１本又は複数本の縫い目等、衣類の縫い目の領域には付着させなくてもよい。幾つかの実施形態では、接着剤１０４は、活性化の準備ができるまで接着剤１０４を保護することができる取り外し可能な保護長尺片１１２により被覆されていてもよい。取り外し可能な長尺片１１２は、例えば接着剤１０４を活性化させる直前に取り外すことができる。幾つかの実施形態では、接着剤１０４の使用又はその活性化に関する１つ又は複数の指示が取り外し可能な長尺片１１２に印刷されていてもよい。
【００１６】
衣類上で長さを示す印１１０を表示する他の方法も使用可能である。例えば、印１１０は一連の円、楕円、又は他の形状からなる線を含んでいてもよい。このような円、線、ミシン目、又は他の印１１０は、袖、ズボン脚部１００、又は衣類の他の部分の内側に沿って様々な間隔で付けることができる。例えば、ズボン脚部１００の内側には、例えば１ｃｍ又は０．５インチ（１．２７ｃｍ）ごとに指標線が記されていてもよい。印１１０は、このような印１１０に合わせて調整されるときに、衣類の長さを示す（例えばインチ又はｃｍ単位の）測定値を示すことができる。例えば、着用者は、自分には通常例えば３２インチ（８１．２８ｃｍ）の長さのズボンが合うことを知っている可能性がある。ズボン脚部１００の内側は、各印１１０の示す長さに寸法直しされるときにズボンの長さを示す印１１０を有することができる。幾つかの実施形態では、印１１０に沿って布又は衣類に設けられたミシン目が、印１１０に合わせるために布の折り、裁断、又はその他の調整を容易にする場合がある。
【００１７】
幾つかの実施形態では、印１１０は、例えばストレートカフス又はアングルカフス用のパターンを示すための１つ又は複数の軌道が記されていてもよい。他のパターンも使用可能である。幾つかの実施形態において、印１１０は不規則な、又は円以外の軌道を辿っていてもよい。例えば、衣類の肩部の印は、衣類の肩部の縫い目の形状に近い長円形状をなすように形成することができる。他の形状も使用可能である。
【００１８】
図２は、本発明の幾つかの実施形態における、２つ又はそれ以上の接着剤を有し、且つ寸法直しの測定値が記される衣類２００の袖口の概念図である。幾つかの実施形態では、第２の接着剤２０６はズボン脚部１００の下部１０６に付着させることができる。接着剤２０６は、例えばオーバーロック縫いの形態にて例えば衣類の端部へ縫い込むことができる糊糸等で構成され、又はこのような糊糸等に含まれていてもよい。幾つかの実施形態では、第２の接着剤２０６は第１の接着剤２０４より下端側に固着させることができる。幾つかの実施形態では、第２の接着剤２０６は保護被覆材２０２によって覆われていなくてもよい。第２の接着剤２０６は、幾つかの実施形態では第１の接着剤２０４と同じ領域内に付着させることができ、糊糸以外の構成であってもよい。幾つかの実施形態では、第１の接着剤２０４及び第２の接着剤２０６は、相違し、且つ補完し合う特性を有していてもよい。例えば、第１の接着剤２０４が洗濯時等に遭遇する湿気のある状態に暴露されたときにその接着特性をより高く保持することができる一方で、第２の接着剤がドライクリーニングプロセスにて用いられる化学物質に暴露されたときにその特性をより良好に保持することができるように構成することができる。
【００１９】
幾つかの実施形態では、接着剤２０４は、使用者が指標２０８の線に沿って重ねることができるテープに含まれていてもよい。このようなテープ状接着剤２０４は、公知の接着剤のような、例えば熱又は蒸気により活性化させることができる（アイロンをかけることによって活性化させることができるような）両面テープであってもよく、あるいはこのような両面テープを含んでいてもよい。幾つかの実施形態では、接着剤２０４は、例えばズボン脚部１００の内側の対応する位置に設けられたベルクロ（Ｖｅｌｃｒｏ、登録商標）テープに接着することができる例えば１つ又は複数のベルクロテープ等の一時的な接着材料であってもよく、あるいはこのような一時的な接着材料を含んでいてもよい。幾つかの実施形態では、接着剤２０４を開けることができ、且つ再固定が可能なものとすることができるため、使用者は、衣類が採寸寸法に当初合わせられた後にも衣類の長さ又は適合度を調整することができる。幾つかの実施形態では、ベルクロテープのオス側を例えばズボン脚部１００の下部１０６に取り付けることができ、メス側のベルクロ領域をズボン脚部１００の上部１０８に取り付けることができる。上部１０８及び下部１０６におけるオス側とメス側の配置は、逆さにすることができる。幾つかの実施形態では、ベルクロテープのメス側は、帯状、又は小さな複数の点、又は分離された領域をなすように、ズボン脚部１００の端部が上部１０８に接着される領域に取り付けることができる。別の接着剤２０４は、例えば磁石、ジッパー、ジップロック（登録商標）、ピン、又は布を合わせて保持するために好適なその他の固定具であってもよく、或いはこれらを含んでいてもよい。
【００２０】
図３は、本発明の実施形態による方法のフローチャートである。ブロック３００において、衣類の長さは、衣類の第２の領域に向かい合うように衣類の第１の領域を折ることによって調整される。例えば、袖口、ヘム、又はズボン脚部の下部領域は、ズボン脚部の上部領域と向かい合うように折り返すことができる。ブロック３０２においては、事前の工程においてズボン脚部の第１の領域、つまり下部領域に付着させておくことができる接着剤を活性化させることができる。このような活性化には、例えば熱、水分、又は圧力の付与を含むことができる。ブロック３０４において、活性化された接着剤により、衣類の第１の部分を衣類の第２の部分に固定することができる。
【００２１】
幾つかの実施形態では、接着剤は、例えば接着剤の活性化前に使用者が取り外すことができる保護長尺片によって被覆されていてもよい。幾つかの実施形態では、接着剤を予め活性化させておくことができ、長尺片を取り外して接着剤を露出させた後に衣類の部分同士を接着することができる。幾つかの実施形態では、衣類の第１の部分に第２の接着剤を付着させるために第１の接着剤を使用することができ、第２の接着剤は、衣類の第１の部分を衣類の第２の部分に固定するために活性化させることができる。幾つかの実施形態では、衣類の第１の部分と第２の部分は引き離すことができ、例えば熱、圧力又は水分を再度付与して接着剤を再度活性化させることによりさらなる調整を行うことができる。幾つかの実施形態では、衣類は長さを示す印を含んでいてもよく、衣類の寸法調整はこのような印に従って行うことができる。
【００２２】
幾つかの実施形態では、ヘムがすでに特定の長さに設定された状態で衣料を販売すること、又は市場に出すことができ、このような実施形態においては、ヘムは、本明細書に説明されるように開けることができ、且つ再接着が可能な接着剤で固定される。
【００２３】
本願においては本発明の特定の特徴について図示及び説明してきたが、当業者であれば、多くの改変物、代用物、変更物、又は均等物を想起するであろう。したがって、添付の特許請求の範囲は、本発明の精神に含まれるこのような改変及び変更をすべて含むものであることを理解されたい。
【図面の簡単な説明】
【００２４】
【図１】本発明の幾つかの実施形態による、接着剤を有するとともに寸法直しを行うための採寸寸法が記された衣類のヘム／袖口の概念図。
【図２】本発明の幾つかの実施形態による、２つ以上の接着材料を有するとともに寸法直しを行うための採寸寸法が記されたヘム／袖口の概念図。
【図３】本発明の一実施形態による方法のフローチャート。
【符号の説明】
【００２５】
１００…ズボン脚部、１０４…接着剤、１０６…下部、１０８…上部、１１０…印、１１２…保護長尺片、２００…衣類、２０２…保護被覆材、２０４…第１の接着剤、２０６…第２の接着剤、２０８…指標。
【図１】
2008223201.tif 000003
【図２】
2008223201.tif 000004
【図３】
2008223201.tif 000005